(57)【要約】【課題】空気を良好に流通させることができ、かつ、空調服本体に対するファン装置および外気取入スペーサの着脱を容易に行うことが可能な空調服の提供。【解決手段】空調服１は、空調服本体１１とファンユニット２１とを備えている。ファンユニット２１は、空気を流通させることが可能な第１生地部２２Ａと空気を流通させることが困難または不可能な第２生地部２２Ｂとが対向配置されたメッシュ袋部２２と、メッシュ袋部２２に形成された開口２２ｃを塞ぐように取り付けられるファン部２３と、ファン部２３と第１生地部２２Ａとを離間させるためのスペーサ部２４とを有し、スライドファスナーＦを介して空調服本体１１に着脱自在に設けられている。【選択図】図７
2017101354.tif 000002
【特許請求の範囲】
【請求項１】
空気を流通させることが可能な多孔性材料からなる第１生地部と空気を流通させることが困難または不可能な材料からなる第２生地部とが対向するように配置された袋状の袋部と、
前記第２生地部に形成された開口を塞ぐように取り付けられ、空気を吸引することが可能なファン部と、
前記第２生地部に取り付けられた前記ファン部と前記第１生地部とを離間させるためのスペーサ部と、を有するファンユニットを備え、
前記ファンユニットは、人が着用する空調服本体に着脱手段を介して着脱自在に設けられていることを特徴とする空調服。
【請求項２】
前記着脱手段は、前記ファンユニットおよび前記空調服本体のそれぞれに務歯を有するスライドファスナーであることを特徴とする請求項１に記載の空調服。
【請求項３】
前記スライドファスナーは、前記ファンユニット側の務歯が前記ファンユニットの外周縁全体に亘って設けられる一方、前記空調服本体側の務歯が当該空調服本体の所定位置に形成された開口部の開口周縁全体に亘って設けられていることを特徴とする請求項２に記載の空調服。
【請求項４】
前記ファンユニットが前記空調服本体に取り付けられた状態で前記スライドファスナーの始端部および終端部を覆うことが可能な被覆手段をさらに備え、
前記被覆手段は、空気を流通させることが困難または不可能な材料からなることを特徴とする請求項２または請求項３に記載の空調服。
【請求項５】
前記被覆手段は、その一部が前記ファンユニットに固定され、
前記スライドファスナーの始端部および終端部は、前記ファンユニットと前記被覆手段とが固定される部分よりも下方に配置されていることを特徴とする請求項４に記載の空調服。
【請求項６】
前記ファン部は、前記第２生地部の開口に対して着脱自在に設けられ、
前記スペーサ部は、前記第２生地部の開口を介して着脱自在に設けられていることを特徴とする請求項１〜請求項５の何れか１項に記載の空調服。
【請求項７】
前記空調服本体は、人の腰部を覆うことが可能な上着であり、
前記空調服本体の裾部には、裾回りの大きさを調整することが可能な調整手段が設けられていることを特徴とする請求項１〜請求項６の何れか１項に記載の空調服。
【請求項８】
前記空調服本体は、上着であり、
前記空調服本体の襟部には、その一部を人体の首部から離れるように変形させることによって空気流通路を形成する空気流通路形成手段が設けられていることを特徴とする請求項１〜請求項７の何れか１項に記載の空調服。
【請求項９】
前記空調服本体は、上着であり、
前記ファン部は、前記ファンユニットが前記空調服本体に取り付けられた状態で人の腰部よりも上方に配置されることを特徴とする請求項１〜請求項８の何れか１項に記載の空調服。
【請求項１０】
前記空調服本体には、その外面側と内面側とを貫通するように形成され、前記ファン部に接続された配線を引き出すことが可能な孔部が形成されていることを特徴とする請求項１〜請求項９の何れか１項に記載の空調服。
【発明の詳細な説明】
【技術分野】
【０００１】
本発明は、空調服に関し、特に、空調服本体に対してファン装置を着脱することが可能な空調服に関するものである。
【背景技術】
【０００２】
近年、高温雰囲気下で作業を行う作業者の身体を冷却する衣服（上着）として、ファン装置を備えた空調服が知られている。
【０００３】
このような空調服では、その上から作業者の身体を保護するための衣服（例えば、作業着や絶縁服等の保護服、以下、「保護服」という）を着用する場合が少なくない。
【０００４】
ところで、従来の空調服のなかには、ファン装置の外気取入口が空調服の外面上に露出して設けられたものがある。
【０００５】
しかしながら、このような空調服では、その上から保護服を着用すると、当該保護服によってファン装置の外気取入口が塞がれてしまうおそれがあり、かかる場合、空調服内に外気を十分に取り入れることができない、といった問題が生じる。
【０００６】
そこで、例えば、空気を流通させることが可能な外気取入スペーサを、ファン装置の外気取入口を覆うように取り付ける技術が提案されている（特許文献１参照）。
【０００７】
このような技術によれば、外気取入スペーサによって、保護服とファン装置の外気取入口との間に外気取入スペースが形成されるため、空調服の上から保護服を着用しても、空調服内に外気を良好に取り入れることが可能である。
【先行技術文献】
【特許文献】
【０００８】
【特許文献１】特開２００６−３０７３５４号
【発明の概要】
【発明が解決しようとする課題】
【０００９】
ところで、特許文献１に記載の空調服では、ファン装置が、空調服本体に対して着脱自在に構成されていることに加え、外気取入スペーサも、ファン装置を覆うように設けられたメッシュ状のポケット部から出し入れできるように構成されている。
【００１０】
一般に、空調服は、ファン装置によって取り入れられた空気を、身体の表面に沿って流通させることで、汗を気化させて作業者の身体を冷却するようにしている。このため、空調服は、下着などと同様に汚れやすく、高い頻度で洗濯するのが好ましいものである。
【００１１】
この点、特許文献１に記載の空調服では、洗濯をする場合、その前に、電気部品であるファン装置を、空調服本体から取り外すほか、外気取入スペーサも、破損・損傷するおそれがあるため、ポケット部から取り外す必要がある。一方、洗濯をし終えた後においては、これらを、上記空調服に対するファン装置および外気取入スペーサの取り外しとは逆の手順で空調服本体に取り付けることになる。なお、このことは、洗濯以外の理由でファン装置および外気取入スペーサを着脱する場合、例えば、空調服をコンパクトに折り畳んで持ち運ぶ場合においても、同様なことがいえる。
【００１２】
このように、特許文献１に記載の空調服では、洗濯等をする場合、ファン装置のみならず、外気取入スペーサの取り外し（取り付け）も行わなければならないため、その作業が煩雑である、といった問題があった。
【００１３】
また、一般に、空調服に設けられるファン装置は、軽量化等の観点から樹脂により形成されることがおおく、上述したような取り外しおよび取り付けを頻繁に行うと、ファン装置が破損・損傷（特に、空調服本体に取り付けるための係合部が破損・損傷）するおそれがある。
【００１４】
本発明は、上記不都合を解消するためになされたものであり、その目的は、空気を良好に流通させることができ、かつ、空調服本体に対するファン装置および外気取入スペーサの着脱を容易に行うことが可能な空調服を提案することにある。
【課題を解決するための手段】
【００１５】
上記課題は、本発明に係る空調服によれば、空気を流通させることが可能な多孔性材料からなる第１生地部と空気を流通させることが困難または不可能な材料からなる第２生地部とが対向するように配置された袋状の袋部と、前記第２生地部に形成された開口を塞ぐように取り付けられ、空気を吸引することが可能なファン部と、前記第２生地部に取り付けられた前記ファン部と前記第１生地部とを離間させるためのスペーサ部と、を有するファンユニットを備え、前記ファンユニットは、人が着用する空調服本体に着脱手段を介して着脱自在に設けられていることにより解決される。
【００１６】
上記構成では、ファン部およびスペーサ部を収納することが可能な袋部（ファンユニット）が、空調服本体に対して着脱自在に設けられている。このため、空調服本体を洗濯等する場合、ファン部およびスペーサ部を一体的に着脱することが可能なため、その作業を極めて簡便に行うことができる。
【００１７】
また、上記構成では、ファン部およびスペーサ部を袋部に収納すると、（空気を流通させることが可能な）第１生地、スペーサ部、および、（空気を流通させることが困難または不可能な第２生地に取り付けられた）ファン部といった順で、これらが重なって配置される。すなわち、上記構成では、ファン部およびスペーサ部を袋部に収納するだけで、いわば自動的に、ファン部の周囲に外気取入空間（ファン部が排気方式である場合、空気排出空間）が形成されるため、空調服の上に保護服を着用した場合であっても、空調服内に外気を良好に取り入れることが可能である。
【００１８】
さらに、上記構成では、袋部それ自体が汚れた場合や、ファン部に不具合が生じた場合などに、ファン部を袋部から取り外せばよいため、袋部に対するファン部の着脱頻度を抑えることが可能である。このため、上記構成によれば、ファン部の着脱に伴う破損・損傷を確実に抑制することができる。
【００１９】
なお、上記構成に加え、前記着脱手段は、前記ファンユニットおよび前記空調服本体のそれぞれに務歯を有するスライドファスナーであることが好ましい。
【００２０】
また、前記スライドファスナーは、前記ファンユニット側の務歯が前記ファンユニットの外周縁全体に亘って設けられる一方、前記空調服本体側の務歯が当該空調服本体の所定位置に形成された開口部の開口周縁全体に亘って設けられていることが好ましい。
【００２１】
さらに、前記ファンユニットが前記空調服本体に取り付けられた状態で前記スライドファスナーの始端部および終端部を覆うことが可能な被覆手段をさらに備え、前記被覆手段は、空気を流通させることが困難または不可能な材料からなることが好ましい。
【００２２】
また、前記被覆手段は、その一部が前記ファンユニットに固定され、前記スライドファスナーの始端部および終端部は、前記ファンユニットと前記被覆手段とが固定される部分よりも下方に配置されていることが好ましい。
【００２３】
さらに、前記ファン部は、前記第２生地部の開口に対して着脱自在に設けられ、前記スペーサ部は、前記第２生地部の開口を介して着脱自在に設けられていることが好ましい。
【００２４】
また、前記空調服本体は、人の腰部を覆うことが可能な上着であり、前記空調服本体の裾部には、裾回りの大きさを調整することが可能な調整手段が設けられていることが好ましい。
【００２５】
さらに、前記空調服本体は、上着であり、前記空調服本体の襟部には、その一部を人体の首部から離れるように変形させることによって空気流通路を形成する空気流通路形成手段が設けられていることが好ましい。
【００２６】
また、前記空調服本体は、上着であり、前記ファン部は、前記ファンユニットが前記空調服本体に取り付けられた状態で人の腰部よりも上方に配置されることが好ましい。
【００２７】
さらに、前記空調服本体には、その外面側と内面側とを貫通するように形成され、前記ファン部に接続された配線を引き出すことが可能な孔部が形成されていることが好ましい。
【発明の効果】
【００２８】
以上のように、本発明に係る空調服によれば、簡単な構成でありながらも、空調服内に導入された空気を良好に流通させることができるうえ、ファン部およびスペーサ部の着脱を極めて容易に行うことができる。
【図面の簡単な説明】
【００２９】
【図１】本発明の実施の一形態に係る空調服の正面図である。
【図２】図１に示す空調服の背面図である。
【図３】空調服本体を裏返した状態における背中側の配置関係を示す平面図である。
【図４】図３の空調服本体にファンユニットを取り付けた状態を示す平面図である。
【図５】空調服本体に取り付けられるインナースペーサの斜視図である。
【図６】空調服本体の襟部を概念的に示した概念図である。
【図７】図１に示す空調服の要部拡大断面図である。
【図８】ファン部を取り付ける直前の状態を示すファンユニットの正面図である。
【図９】図８に示すファンユニットの背面図である。
【発明を実施するための形態】
【００３０】
以下、本発明の実施の一形態を図面に基づいて説明する。
図１は本発明の実施の一形態に係る空調服の正面図、図２は図１に示す空調服の背面図、図３は空調服本体を裏返した状態における背中側の配置関係を示す平面図、図４は図３の空調服本体にファンユニットを取り付けた状態を示す平面図、図５は空調服本体に取り付けられるインナースペーサの斜視図、図６は空調服本体の襟部を概念的に示した概念図、図７は図１に示す空調服の要部拡大断面図、図８はファン部を取り付ける直前の状態を示すファンユニットの正面図、図９は図８に示すファンユニットの背面図である。なお、以下の説明における上下、前後および左右方向は、起立した作業者が正面を向いた状態での方向をそれぞれ示している。
【００３１】
図１および図２に示すように、本実施形態に係る空調服１は、作業者Ｈの上半身に着用するもの（例えば、下着やワイシャツの上から着用するもの）であって、空調服本体１１と、ファンユニット２１とを備えている。なお、前記空調服本体１１とファンユニット２１とが、それぞれ、特許請求の範囲に記載の「空調服本体」と「ファンユニット」とに該当する。
【００３２】
本実施形態に係る空調服本体１１は、いわゆる半袖タイプのものであって、その前側の左右方向中央部には、上下方向に亘って、いわゆるスライドファスナー（線ファスナーともいう、図示省略）が設けられている。詳しくは後述するが、本実施形態に係る空調服１は、（ファンユニット２１を構成する）ファン部２３の駆動によって内面側に取り入れた空気（外気）を、作業者Ｈの上半身との間で流通させることによって、作業者Ｈの上半身を冷却することができるように構成されている。なお、以下の説明においては、半袖タイプのものを例示して説明するが、いわゆる長袖タイプのものであってもよい。
【００３３】
空調服本体１１は、主に、空気の流通が困難または不可能なポリエステル等の素材（生地）により形成され、従来の空調服と同様、その上から保護服などの外套を着用することが可能となっている。
【００３４】
この空調服本体１１には、その腰部付近および胸部に、ポケット１２が複数（本実施形態では空調服本体１１の胸部及び腰部の左右両側にそれぞれ２箇所ずつ）取り付けられている。本実施形態では、これらポケット１２の何れか１つに、ファン部２３を駆動させるための電源装置３１が収納されるようになっている。
【００３５】
電源装置３１は、ファン部２３に電源の供給および駆動信号の送信などを行うものであって、配線３２を介してファン部２３と接続されている。この電源装置３１は、電源としての電池を格納する電池格納部（図示省略）および複数の操作部（図示省略）を有し、当該操作部を操作することによって、電源のオン・オフおよびファン部２３の羽根部（図示省略）の回転数の調整などを行うことが可能となっている。なお、前記ファン部２３と配線３２とが、それぞれ、特許請求の範囲に記載の「ファン部」と「配線」とに該当する。
【００３６】
また、ポケット１２が配置される空調服本体１１の所定位置には、それぞれ、その外面側と内面側とを貫通する孔部１２ａが形成されている。なお、前記孔部１２ａが特許請求の範囲に記載の「孔部」に該当する。
【００３７】
ここで、電源装置３１とファン部２３とを接続する配線３２について、図１、図２、図４および図７を参照して説明する。
図１、図２、図４および図７に示すように、配線３２は、その両端部のそれぞれに接続端子（例えば、プラグ、図示省略）を有し、これら接続端子を、それぞれ電源装置３１およびファン部２３のコネクタ部（図示省略）に差し込むことによって、これら装置と接続されるようになっている。なお、本実施形態では、配線３２を、電源装置３１及びファン部２３の双方から着脱することが可能なものについて説明するが、電源装置３１およびファン部２３の何れか一方から着脱自在に構成されているものであれば、適宜変更することが可能である。
【００３８】
ファン部２３から延びる配線３２は、主に、空調服本体１１の内面側に配置され、その一方の端部（電源装置３１に接続される接続端子）を、空調服本体１１の孔部１２ａに挿通することによって、空調服本体１１の外面側（ポケット１２内）に引き出すことが可能となっている。なお、本実施形態において、電源装置３１は、このようにして引き出された配線３２とコネクタ接続され、この状態でポケット１２に収納されるようになっている。また、ファン部２３から延びる配線３２は、図４に示すように、着脱部材２６（例えば、面ファスナー）によって、その移動が規制されるようになっている。この着脱部材２６は、面ファスナーに限られず、その他の部材（例えば、紐）により構成することも可能である。さらに、本実施形態では、着脱部材２６を、ファンユニット２１側に設けたが、空調服本体１１側に設けてもよく、また、空調服本体１１およびファンユニット２１の双方に設けることも可能である。
【００３９】
ところで、図２、図３および図４に示すように、本実施形態に係る空調服本体１１には、その背中部１１Ｄの所定位置に開口部１３が形成されている。開口部１３は、略矩形形状を有し、作業者Ｈが空調服本体１１を着用した状態で、その左右両側の端部がそれぞれ作業者Ｈの脇下部付近に位置するとともに、その下側の端部が作業者Ｈの腰部よりもやや上側に位置するように形成されている。なお、前記開口部１３が特許請求の範囲に記載の「開口部」に該当する。
【００４０】
この開口部１３の開口周縁には、その全域に亘って、後述するファンユニット２１の務歯２２ａと係合可能な務歯１３ａが取り付けられている。（ファンユニット２１側の）務歯２２ａには、当該務歯２２ａおよび（空調服本体１１側の）務歯１３ａとともに、スライドファスナーＦを構成するスライダー２２ｂが取り付けられている。なお、スライドファスナーＦそれ自体は周知であるため、その構成についての詳しい説明を省略する。また、前記務歯１３ａと、務歯２２ａと、スライドファスナーＦとが、それぞれ、特許請求の範囲に記載の「空調服本体側の務歯」と、「ファンユニット側の務歯」と「スライドファスナー」とに該当する。
【００４１】
本実施形態において、務歯１３ａの始端部および終端部は、何れも、開口部１３の下側略中央の位置で互いに隣接して配置されている。
【００４２】
また、空調服本体１１には、その内面側で、かつ、務歯１３ａの始端部１３ａｓおよび終端部１３ａｅの下側（真下）に、後述するファンユニット側面ファスナー２５と係合可能な空調服本体側面ファスナー１４が取り付けられている。なお、前記ファンユニット側面ファスナー２５が特許請求の範囲に記載の「被覆手段」に該当する。
【００４３】
次に、空調服本体１１のその他の特徴的な部分について説明する。
図２、図４および図６に示すように、空調服本体１１には、その襟部１１Ａの後側に、空気流通路形成部１５が設けられている。この空気流通路形成部１５は、襟部１１Ａと作業者Ｈの首部Ｈｎとの間に、空気を流通させることが可能な空気流通路Ｒ１を形成するものである。なお、前記空気流通路形成部１５が特許請求の範囲に記載の「空気流通路形成手段」に該当する。
【００４４】
具体的に、空気流通路形成部１５は、右側布片１５Ａおよび左側布片１５Ｂを有している。右側布片１５Ａおよび左側布片１５Ｂは、それぞれ、略矩形形状を有し、空調服本体１１と同様に、空気の流通が困難または不可能なポリエステル等の素材（生地）により形成されている。なお、右側布片１５Ａおよび左側布片１５Ｂは、空調服本体１１と同様な素材で形成する場合に限られず、他の素材により形成することも可能である。
【００４５】
右側布片１５Ａは、襟部１１Ａの後側の右よりの位置に縫製される一端と、自由端である他端とを有している。また、この右側布片１５Ａには、左右方向に所定の間隔をあけて複数（本実施形態では２つ）のボタン１５ａが取り付けられている（以下、右側のボタンを「ボタン１５ａ１」、左側のボタンを「ボタン１５ａ２」という）。
【００４６】
一方、左側布片１５Ｂは、右側布片１５Ａと同様に、襟部１１Ａの後側の左よりの位置に縫製される一端と、自由端である他端とを有している。また、この左側布片１５Ｂには、その自由端側の所定位置にボタン１５ａを差し込むことが可能なボタンホール１５ｂが１つ形成されている。
【００４７】
本実施形態では、左側のボタン１５ａ１をボタンホール１５ｂにかけ合わせた状態で、右側布片１５Ａおよび左側布片１５Ｂが、襟部１１Ａに沿って互いに重なるように配置される。一方、右側のボタン１５ａ２をボタンホール１５ｂにかけ合わせた状態では、右側布片１５Ａおよび左側布片１５Ｂが、襟部１１Ａと離間するように配置される。
【００４８】
すなわち、本実施形態では、右側のボタン１５ａ２をボタンホール１５ｂにかけ合わせることによって、作業者Ｈの首部Ｈｎと空調服本体１１の襟部１１Ａとの間に、空気を流通させることが可能な凹状の空気流通路Ｒ１が形成されるようになっている。
【００４９】
このように、本実施形態では、空調服本体１１の襟部１１Ａに、空気流通路Ｒ１を形成することが可能な空気流通路形成部１５が設けられているため、ファン部２３の駆動によって空調服本体１１内に導入された空気を、空気流通路形成部１５を介して良好に排出することが可能となっている。
【００５０】
なお、本実施形態では、右側布片１５Ａと左側布片１５Ｂとに、それぞれ、ボタン１５ａとボタンホール１５ｂとを設けたが、その逆であってもよく、また、ボタン１５ａは２つに限定されることなく、３つ以上設けることも可能である。このように、ボタン１５ａを３つ以上設けた場合には、作業者Ｈの首部Ｈｎと襟部１１Ａとの間に形成される空間（空気流通路Ｒ１）の開口度を適宜調整することができる、といったメリットがある。
【００５１】
さらに、本実施形態では、空調服本体１１の襟部１１Ａに、右側布片１５Ａおよび左側布片１５Ｂを設けたが、これに代えて、樹脂や金属等からなる断面凸状（断面略ハット状）の部材を取り付けることも可能である。このようにすれば、ボタン１５ａをボタンホール１５ｂにかけ合わせることなく、首部Ｈｎと襟部１１Ａとの間に、自然と空気流通路Ｒ１を形成することが可能となる。
【００５２】
また、上記空調服本体１１のその他の特徴的な部分として、図１〜図５に示すように、本実施形態の空調服本体１１には、その内面側に、肩部１１Ｃから背中部１１Ｄに亘ってインナースペーサ１７が取り付けられている。このインナースペーサ１７は、空調服本体１１の左右両側において左右対称に設けられている。なお、左右両側に設けられるインナースペーサ１７は、両者とも、ほぼ同様な構成を有しているため、以下の説明において、必要がある場合を除き、一方のインナースペーサ１７についてのみを説明し、他方のインナースペーサ１７の説明を省略する。
【００５３】
インナースペーサ１７は、樹脂等によって形成され、複数の突条部１７ａを有している。これら突条部１７ａは、空気を流通させることが可能なように所定の間隔をあけて相互に接続されている。
【００５４】
このインナースペーサ１７は、空調服本体１１の内面における肩部１１Ｃおよび背中部１１Ｄのほぼ全域に亘って取り付けられた袋状のメッシュ袋部１８に対して、着脱自在に設けられている。なお、本実施形態では、インナースペーサ１７を、空調服本体１１の左右両側にそれぞれ配置するもの（分割されたもの）を例にとって説明するが、これに限られず、一体的に形成することも可能である。
【００５５】
メッシュ袋部１８は、空気を流通させることが可能な素材（例えば、メッシュ生地）により形成されている。なお、本実施形態では、このメッシュ袋部１８の下端部が、開口部１３の開口周縁上側を覆うように配置される。
【００５６】
メッシュ袋部１８の下端部には、開閉自在なスライドファスナー１８ａが設けられ、インナースペーサ１７は、ここから出し入れできるようになっている。
【００５７】
本実施形態では、空調服本体１１がこのように構成されているため、洗濯等をする際に、空調服本体１１に対するインナースペーサ１７の着脱を簡単に行うことが可能となっている。
【００５８】
このように、本実施形態では、作業者Ｈが、インナースペーサ１７が取り付けらた空調服本体１１を着用すると、通常、服の重みによって作業者Ｈの身体との間にほとんど隙間が形成されない肩部１１Ｃ付近に、空気流通路Ｒ２が自然と形成されるようになっている。このため、本実施形態では、インナースペーサ１７によって空気流通路Ｒ２が形成されるほか、上述したように、空気流通路形成部１５によって空気流通路Ｒ１も形成されるため、空調服本体１１内に空気が導入されると、当該空気を、背中部１１Ｄおよび腹部→肩部１１Ｃ→襟部１１Ａ→外部といった順で良好に流すことが可能となっている。
【００５９】
さらに、上記空調服本体１１のその他の特徴的な部分として、図１に示すように、空調服本体１１には、その裾部１１Ｂに裾回りの大きさを調整することが可能な調整部１６が設けられている。なお、前記調整部１６が特許請求の範囲に記載の「調整手段」に該当する。
【００６０】
調整部１６は、空調服本体１１の前方左右両側においてほぼ対称的に設けられている。なお、左右両側に設けられる調整部１６は、両者とも、ほぼ同様な構成を有しているため、以下の説明において、必要がある場合を除き、一方の調整部１６について説明し、他方の調整部１６についての説明を省略する。
【００６１】
調整部１６は、略矩形状の布片１６ａと、スナップ式のボタン１６ｂとを有している。布片１６ａは、空調服本体１１と同様に、空気の流通が困難または不可能なポリエステル等の素材（生地）により形成され、裾部１１Ｂの所定位置（本実施形態では脇腹の下側）に縫製される一端と、自由端である他端とを有している。ボタン１６ｂは、そのメス側が布片１６ａの他端の所定位置に１つ取り付けられる一方、オス側が裾部１１Ｂに複数（本実施形態では３つ）取り付けられている。オス側のボタン１６ｂは、左右方向に所定の間隔をあけて取り付けられている。なお、布片１６ａは、空調服本体１１と同様な素材で形成する場合に限られず、他の素材により形成することも可能である。
【００６２】
調整部１６は、このように構成されているため、布片１６ａに取り付けられるメス側のボタン１６ｂを、より空調服本体１１の中央側に位置するオス側のボタン１６ｂに押し込むことによって、裾回りの大きさを小さくすることが可能となっている。なお、本実施形態では、裾回りの大きさを調整する手段として、布片１６ａおよびスナップ式のボタン１６ｂを採用したが、これに代えて、裾部１１Ｂを締め付けることが可能な紐などを採用することも可能である。
【００６３】
また、本実施形態では、裾部１１Ｂの後側に、裾回りの大きさを絞る（小さくする）方向に付勢された付勢部１９（例えば、ゴム）が取り付けられている。このため、本実施形態では、調整部１６によって裾回りの大きさをきつめに調整したとしても、付勢部１９によって伸長されるため、作業者Ｈに対して、裾回りがきついといった印象をほとんど与えることなく、裾部１１Ｂを作業者Ｈの腰部Ｈｈにより密着させることが可能となっている。
【００６４】
このように、本実施形態では、裾回りの大きさを小さくすることによって、空調服本体１１の裾部１１Ｂを作業者Ｈに極力密着させることが可能なため、空調服本体１１内に導入された空気が裾部１１Ｂから漏出する、といった事態を抑制することができるようになっている。すなわち、本実施形態では、調整部１６によって空調服本体１１の気密性を向上させることが可能なため、空調服本体１１内を流通する空気の流速を早めることができ、その結果、作業者Ｈを冷却する冷却効果を向上させることが可能となっている。
【００６５】
次に、ファンユニット２１について、図２、図４および図７〜図９を参照して説明する。
図２、図４および図７〜図９に示すように、ファンユニット２１は、メッシュ袋部２２と、複数（本実施形態では２つ）のファン部２３と、スペーサ部２４とを備えている。なお、前記メッシュ袋部２２と、ファン部２３とスペーサ部２４とが、それぞれ、特許請求の範囲に記載の「袋部」と「ファン部」と「スペーサ部」とに該当する。
【００６６】
メッシュ袋部２２は、空調服本体１１に取り付けた状態で、当該空調服本体１１の外面側に配置される第１生地部２２Ａと、内面側に配置される第２生地部２２Ｂとを有している。なお、前記第１生地部２２Ａと第２生地部２２Ｂとが、それぞれ、特許請求の範囲に記載の「第１生地部」と「第２生地部」とに該当する。
【００６７】
第１生地部２２Ａは、空気を流通させることが可能な素材（例えば、メッシュ生地）からなり、（空調服本体１１の）開口部１３の開口周縁の形状よりもやや小さい形状に形成されている。一方、第２生地部２２Ｂは、空気を流通させることが困難または不可能な素材(本実施形態では空調服本体１１と同様なポリエステル等の素材（生地）)からなり、第１生地部２２Ａとほぼ同じ形状に形成されている。
【００６８】
第１生地部２２Ａおよび第２生地部２２Ｂは、それぞれの外周縁を縫製することにより取り付けられている。さらに、第１生地部２２Ａおよび第２生地部２２Ｂは、その他、中央部付近においても、左右方向に所定の間隔をあけた位置で上下方向に２箇所縫製されている。
メッシュ袋部２２は、このように構成されているため、左右方向に３つの領域Ｓ（右側の領域Ｓｒ、中央の領域Ｓｃ、左側の領域Ｓｌ）が形成されているものといえる。
【００６９】
さらに、第１生地部２２Ａおよび第２生地部２２Ｂの外周縁には、開口部１３に設けられた務歯１３ａと係合可能な、スライダー２２ｂ付きの務歯２２ａが縫製されている。
【００７０】
ここで、空調服本体１１に対するメッシュ袋部２２の取り付けおよび取り外しについて説明する。
空調服本体１１に対するメッシュ袋部２２の取り付けは、スライダー２２ｂを、空調服本体１１側の務歯１３ａの始端部１３ａｓに嵌合させた後、スライドファスナーＦの終端部Ｆｅ（務歯１３ａの終端部１３ａｅおよび務歯２２ａの終端部２２ａｅ）に向けて移動させることにより行われる。一方、空調服本体１１に対するメッシュ袋部２２の取り外しは、上記空調服本体１１に対するメッシュ袋部２２の取り付けと逆の手順をふむことにより行うことが可能である。
【００７１】
また、メッシュ袋部２２の第２生地部２２Ｂには、右側の領域Ｓｒおよび左側の領域Ｓｌに、それぞれ、ファン部２３を取り付けるための略円状の開口２２ｃが形成されている。なお、前記開口２２ｃが特許請求の範囲に記載の「開口」に該当する。
【００７２】
さらに、本実施形態では、第２生地部２２Ｂの中央部の下端側に、空調服本体１１に設けられた空調服本体側面ファスナー１４と係合することが可能なファンユニット側面ファスナー２５が縫製されている。
【００７３】
このファンユニット側面ファスナー２５は、空調服本体１１と同様に、空気の流通が困難または不可能なポリエステル等の素材（生地）により形成され、ファンユニット２１を空調服本体１１に取り付けた状態で、スライドファスナーＦの始端部Ｆｓ（務歯１３ａの始端部１３ａｓおよび務歯２２ａの始端部２２ａｓ）および終端部Ｆｅを、空調服本体１１の内面側から覆う（被覆する）ことができるように構成されている。
【００７４】
次に、ファン部２３について、図２および図７〜図９を参照して説明する。なお、本実施形態では、ファンユニット２１に、２つのファン部２３を設けているが、これらファン部２３は、同様な構成を有しているため、一方のファン部２３のみの説明を行い、他方のファン部２３についての説明を省略する。また、ファン部２３の基本的な構成は、従来のものと同様であるため、本実施形態を説明するうえで必要がある場合を除き、その説明を省略する。
【００７５】
図２および図７〜図９に示すように、ファン部２３は、ファン部本体２３Ａと、ロック部２３Ｂとを有し、電源が供給されると、外気（空気）を空調服本体１１内に取り入れるように構成されている。なお、本実施形態では、いわゆる吸気型のファン（送風方向が外部→空調服１の向き）を例にとって説明するが、排気型のファン（送風方向が空調服１→外部の向き）であってもよい。
【００７６】
ファン部本体２３Ａは、配線３２を接続することが可能な接続端子（図示省略）を有し、電源装置３１からの電源の供給を受けて、羽根部（図示省略）に接続されたモーター（図示省略）が回転するように構成されている。
【００７７】
また、ファン部本体２３Ａは、その前端部（吸気側の端部）にリング状の鍔部２３ａを有し、モーター等の電気部品を除き、その骨格となる部分（筐体部分）が樹脂（例えば、プラスチック）などにより形成されている。鍔部２３ａは、その外周形状が（メッシュ袋部２２の）開口２２ｃの開口周縁の形状よりも大きめに形成されている。
【００７８】
ロック部２３Ｂは、略円柱形状を有し、ファン部本体２３Ａの骨格部分と同様な部材（例えば、プラスチック等の樹脂）により形成されている。このロック部２３Ｂは、鍔部２３ａと同様に、その外周形状が（メッシュ袋部２２の）開口２２ｃの開口周縁の形状よりも大きめに形成されている。
【００７９】
また、ロック部２３Ｂは、ファン部本体２３Ａの後端部（排気側の端部）側から挿入することが可能な形状を有し、例えば、鍔部２３ａと近接する位置まで挿入された際に、ファン部本体２３Ａに設けられた爪部等と係合するように構成されている。
【００８０】
ここで、メッシュ袋部２２に対するファン部２３の取り付けおよび取り外しについて説明する。
メッシュ袋部２２に対するファン部２３の取り付けは、
（１）メッシュ袋部２２の開口２２ｃを楕円状に変形させた状態で、ファン部本体２３Ａの鍔部２３ａをメッシュ袋部２２内に挿入する、
（２）次に、ロック部２３Ｂを、ファン部本体２３Ａの後端側から挿入する、
（３）その後、開口２２ｃの開口周縁をロック部２３Ｂと鍔部２３ａとの間で挟み込んだ状態で、当該ロック部２３Ｂをさらに押し込み、ファン部本体２３Ａに設けられた爪部等に係合させる、
といった手順をふむことにより行われる。
このような手順をふむことにより、ファン部２３は、気密性を確保した状態で、メッシュ袋部２２に取り付けられることとなる。なお、ファン部２３は、この状態で、ファン部本体２３Ａの後端部側が、空調服本体１１の内面側に配置されるようになっている。一方、メッシュ袋部２２に対するファン部２３の取り外しは、上記メッシュ袋部２２に対するファン部２３の取り付けと逆の手順をふむことにより行うことが可能である。
【００８１】
次に、スペーサ部２４について、図２および図７〜図９を参照して説明する。
図２および図７〜図９に示すように、スペーサ部２４は、空調服本体１１に取り付けられるインナースペーサ１７と同様な構成を有し（図５参照）、折り畳む方向に弾性変形させた状態で、メッシュ袋部２２の開口２２ｃを介してその内部に収納することが可能となっている。なお、上記メッシュ袋部２２に対するファン部２３の取り付けは、メッシュ袋部２２内へのスペーサ部２４の収納が完了した後に、行われるようになっている。
【００８２】
次に、本実施形態に係る空調服１内における空気の流れについて、図１、図２および図６を参照して説明する。なお、以下の説明では、予め、空調服本体１１の空気流通路形成部１５によって襟部１１Ａと作業者Ｈの首部Ｈｎとの間に空気流通路Ｒ１が形成され、かつ、調整部１６によって裾部１１Ｂと作業者Ｈの腰部Ｈｈとの間に隙間が極力生じないように調整された状態となっていることを前提として説明する。
【００８３】
上述したように、空調服１内における空気の流れは、当該空調服１を着用した作業者Ｈが、ポケット１２内に収納される電源装置３１の電源をオンにしてファン部２３を駆動させることによって、生じるようになっている。
【００８４】
ファン部２３が駆動されると、空気は、メッシュ袋部２２の第１生地部２２Ａおよびファン部２３を介して空調服１内に導入されることとなる。
【００８５】
空調服１内に導入された空気は、まず、作業者Ｈの背中部にあたることになるが、その後、当該背中部から作業者Ｈの身体に沿って広がるように流れる。具体的に、空調服１内に導入された空気は、インナースペーサ１７（空気流通路Ｒ２）を介して肩部１１Ｃから襟部１１Ａに向けて良好に流れる他、作業者Ｈの脇下部に沿って胸部や腹部などに向けて流れることとなる。なお、ファン部２３の回転数などにもよるが、通常、空調服１は、導入された空気によって膨出されることとなる。
【００８６】
上述したように、本実施形態では、特に、裾部１１Ｂと作業者Ｈの腰部Ｈｈとの間に隙間が極力生じないように調整することが可能で、かつ、作業者Ｈの首部Ｈｎと襟部１１Ａとの間に空気流通路Ｒ１を形成することができるように構成されている。このため、空調服１内に導入された空気は、裾部１１Ｂからほとんど漏出することなく、作業者Ｈの首部Ｈｎ回りに形成される空気流通路Ｒ１を介して、比較的早い流速で排出させることが可能となっている。
【００８７】
このように、本実施形態に係る空調服１では、簡単な構成でありながらも、当該空調服１内において空気を良好に流通させることができるうえ、空調服本体１１に対するファン部２３およびスペーサ部２４の着脱を極めて容易に行うことが可能となっている。
【００８８】
また、本実施形態では、メッシュ袋部２２それ自体が汚れた場合や、ファン部２３に不具合が生じた場合などに、ファン部２３をメッシュ袋部２２から取り外せばよいため、メッシュ袋部２２に対するファン部２３の着脱頻度を抑えることが可能である。このため、本実施形態によれば、ファン部２３の着脱に伴う破損・損傷（特に、ファン部本体２３Ａとロック部２３Ｂとを係合させる部分（例えば、爪部）の破損・損傷）を確実に抑制することができる。
【００８９】
さらに、本実施形態では、空気流通路形成部１５によって作業者Ｈの首部Ｈｎと襟部１１Ａとの間に空気流通路Ｒ１を形成することができ、かつ、調整部１６によって裾部１１Ｂと作業者Ｈの腰部Ｈｈとを極力密着させることが可能となっている。
このため、本実施形態に係る空調服１は、内部に導入された空気を、空気流通路Ｒ１を介して積極的かつ速い流速で排出させることができるように構成されたものといえる。
従って、本実施形態に係る空調服１では、作業者Ｈの首部Ｈｎを積極的かつ効率よく冷やすことができるため、その結果、作業者Ｈの上半身全体を効果的に冷却することが可能である。
【００９０】
ところで、（本実施形態のように）ファン部やスペーサ部が取り付けられたファンユニットを空調服本体から着脱自在に構成すると、空調服内に導入された空気が、ファンユニットと空調服本体とを接続する接続部分から漏出してしまい、その結果、冷却効率が低下しがちである。
この点、本実施形態では、空調服本体１１とファンユニット２１とを接続する接続手段（着脱手段）として、気密性の比較的高いスライドファスナーＦが採用されているうえ、隙間が生じがちなスライドファスナーＦの始端部Ｆｓおよび終端部Ｆｅとの間が、ファンユニット側面ファスナー２５によって覆われるように構成されている。
すなわち、本実施形態では、空調服本体１１とファンユニット２１とが接続される部分や、スライドファスナーＦの始端部Ｆｓおよび終端部Ｆｅからの空気の漏出を効果的に抑制することが可能なため、上述したような冷却効率が低下する、といった問題もほとんど生じない。
【００９１】
また、本実施形態では、ファンユニット２１を空調服本体１１に取り付けた状態で、スライドファスナーＦの始端部Ｆｓおよび終端部Ｆｅが、ファンユニット側面ファスナー２５が縫製される縫製位置よりも下側に配置されている。
すなわち、本実施形態では、ファンユニット側面ファスナー２５を空調服本体側面ファスナー１４に係合させる直前の状態で、ファンユニット側面ファスナー２５の自由端側が、重力によって、すでに、空調服本体側面ファスナー１４と近接した位置に配置されるため、これらの係合を極めて容易に行う（単に軽く押圧するだけで行う）ことが可能である。
【００９２】
さらに、本実施形態では、とかく厚くなりがちなファン部２３が、作業者Ｈの腰部Ｈｈよりも上側の位置に配置されるため、例えば、作業者Ｈが腰袋等を着用する際に邪魔になることがない。
【００９３】
また、本実施形態では、空調服本体１１のポケット１２が配置される位置に、ファン部２３から延びる配線３２を、空調服本体１１の外面側に引き出すことが可能な孔部１２ａが形成されている。このため、本実施形態では、ファンユニット２１のみならず、配線３２も空調服本体１１に対して容易に着脱することが可能である。
【００９４】
なお、本実施形態では、ファンユニット２１を空調服本体１１に取り付けた状態で、スライドファスナーＦの始端部Ｆｓおよび終端部Ｆｅを覆うファンユニット側面ファスナー２５が、空調服本体１１の内面側に配置されるように構成したが、外面側に配置されるように構成することも可能である。
【００９５】
また、本実施形態では、スライドファスナーＦの始端部Ｆｓおよび終端部Ｆｅを覆う面ファスナー（ファンユニット側面ファスナー２５）を、ファンユニット２１側に固定（縫製）したが、これに代えて、空調服本体１１側に固定することも可能である。
【００９６】
さらに、スライドファスナーＦの始端部Ｆｓおよび終端部Ｆｅを覆う面ファスナー（ファンユニット側面ファスナー２５）を、空調服本体１１およびファンユニット２１の何れにも固定することなく、別体とすることも可能である。
【００９７】
また、本実施形態では、スライドファスナーＦの始端部Ｆｓおよび終端部Ｆｅを、（空調服本体１１の）開口部１３の下側に配置したが、これに限られず、その他の位置（例えば、開口部１３の上側の位置）に配置してもよい。
【００９８】
さらに、本実施形態では、ファンユニット２１に設けられるファン部２３の数を２つとしたが、これに限られず、１つまたは３つ以上とすることも可能である。
【００９９】
また、本実施形態では、ファンユニット２１を、空調服本体１１の背中部１１Ｄ付近に配置したが、これに限られず、脇腹部等、他の位置に配置することも可能である。
【０１００】
さらに、本実施形態では、空調服本体１１からファンユニット２１を着脱する着脱手段として、スライドファスナーＦを採用したが、これに限られず、その他の着脱手段（例えば面ファスナー）を採用することも可能である。
【０１０１】
また、本実施形態では、ファンユニット２１を１つ設ける場合を例示したが、これに限られず、２つ以上設けることも可能である。
【０１０２】
以上、本発明者によってなされた発明を適用した実施形態について説明したが、この実施形態による本発明の開示の一部をなす論述および図面により、本発明は限定されることはない。すなわち、この実施形態に基づいて当業者等によりなされる他の実施形態、実施例および運用技術等は全て本発明の範疇に含まれることは勿論であることを付け加えておく。
【符号の説明】
【０１０３】
１  空調服
１１  空調服本体
１１Ａ  襟部
１１Ｂ  裾部
１１Ｃ  肩部
１１Ｄ  背中部
１２  ポケット
１２ａ  孔部
１３  開口部
１３ａ  務歯
１３ａｓ  始端部
１３ａｅ  終端部
１４  空調服本体側面ファスナー
１５  空気流通路形成部
１５Ａ  右側布片
１５ａ，１５ａ１，１５ａ２  ボタン
１５Ｂ  左側布片
１５ｂ  ボタンホール
１６  調整部
１６ａ  布片
１６ｂ  ボタン
１７  インナースペーサ
１７ａ  突条部
１８  メッシュ袋部
１８ａ  スライドファスナー
１９  付勢部
２１  ファンユニット
２２  メッシュ袋部
２２Ａ  第１生地部
２２Ｂ  第２生地部
２２ａ  務歯
２２ａｓ  始端部
２２ａｅ  終端部
２２ｂ  スライダー
２２ｃ  開口
２３  ファン部
２３Ａ  ファン部本体
２３Ｂ  ロック部
２３ａ  鍔部
２４  スペーサ部
２５  ファンユニット側面ファスナー
２６  着脱部材
３１  電源装置
３２  配線
Ｈ  作業者
Ｈｎ  首部
Ｈｈ  腰部
Ｆ  スライドファスナー
Ｆｓ  始端部
Ｆｅ  終端部
Ｒ１，Ｒ２  空気流通路
Ｓ，Ｓｒ，Ｓｃ，Ｓｌ  領域
【図１】
2017101354.tif 000003
【図２】
2017101354.tif 000004
【図３】
2017101354.tif 000005
【図４】
2017101354.tif 000006
【図５】
2017101354.tif 000007
【図６】
2017101354.tif 000008
【図７】
2017101354.tif 000009
【図８】
2017101354.tif 000010
【図９】
2017101354.tif 000011